(57)【特許請求の範囲】
【請求項１】
撮影レンズを備えた撮影装置用のモードダイアル機構であって、
前記撮影レンズを移動させるレンズ移動手段と、
前記撮影レンズを収納する必要がある所定の動作を行うレンズ収納モードを含む複数のモードからいずれかのモードを選択するためのモードダイアルと、
選択された前記レンズ収納モードに設定するか否かを判断するモード設定判断手段とを備え、
前記モード設定判断手段が、前記レンズ収納モードに設定するか否かを判断するためのメッセージを表示するメッセージ表示手段を含み、
前記モードダイアルの操作により前記レンズ収納モードが選択されると、前記レンズ収納モードに設定するか否かのメッセージが前記メッセージ表示手段に表示され、
前記モード設定判断手段が前記メッセージに対するユーザの操作に応じて、前記レンズ収納モードに設定するか否かを判断し、
前記レンズ収納モードが前記レンズ収納モードに設定すると判断すると、前記レンズ移動手段が、前記撮影レンズを収納する位置まで移動させ、
前記撮影レンズが収納する位置まで移動された後に、前記所定の動作が開始される
ことを特徴とするモードダイアル機構。
【請求項２】
前記モードダイアルが、左右いずれの方向にも停止せずに回転できる無端状であることを特徴とする請求項１に記載のモードダイアル機構。
【請求項３】
前記メッセージが表示されたときに、前記モードダイアルにより前記レンズ収納モード以外のモードが選択されると、前記モード設定判断手段が、前記レンズ収納モードに設定しないと判断することを特徴とする請求項１に記載のモードダイアル機構。
【請求項４】
前記メッセージが表示された状態で所定の時間よりも長い時間が経過すると、前記モード設定判断手段が、前記レンズ収納モードに設定すると判断することを特徴とする請求項１に記載のモードダイアル機構。
【請求項５】
前記モードダイアルと前記メッセージ表示手段とが、同一平面上に設けられていることを特徴とする請求項１に記載のモードダイアル機構。
【請求項６】
音声を記録する録音手段をさらに有し、前記レンズ収納モードが、前記所定の動作として音声記録動作を実行させるための録音モードを含むことを特徴とする請求項１に記載のモードダイアル機構。
【発明の詳細な説明】
【技術分野】
【０００１】
本発明は、モードダイアル機構に関し、特に、カメラに用いられるモードダイアル機構に関する。
【背景技術】
【０００２】
カメラ、ビデオカメラ等の撮影装置においては、一般に、様々な撮影モード等の選択、設定が可能である。そして、複数の選択可能なモードの中から所望のモードを選択するためには、操作が簡便なモードダイアルが広く使用されている。モードダイアルには、選択可能な複数のモードが示されており、ユーザは、選択するモードが示された箇所を所定の回転位置まで移動させる（例えば特許文献１参照）。
【特許文献１】特開２００５−１０１９５１号公報（段落［００１３］〜［００１６］、図１、図２等参照）
【０００３】
また、撮影装置の中には、所定のモードが選択されると、撮影レンズの保護等のために、自動的に撮影レンズが収納されるものがある。
【発明の開示】
【発明が解決しようとする課題】
【０００４】
撮影レンズの収納を必要としないモードをモードダイアルにより選択する場合において、撮影レンズが収納され、直ちに繰出されることがある。すなわち、モードダイアルにおいて、自動的に撮影レンズが収納されるモードが記された箇所が、モードを選択するための所定の回転位置を通過すると、本来は撮影レンズの収納が不要であるにも関わらず、撮影レンズが収納、繰出される。この不必要な動作により、電力が余分に消費され、操作時間が長くなってしまう。
【０００５】
また、不必要な撮影レンズの移動を防止するために、撮影レンズを収納する必要があるモードを端部に設け、必要な場合にのみ撮影レンズを収納するモードダイアルが知られているが、この場合、端部においてモードダイアルの回転が止まるため、操作性が低下し、また無端状のものに比べると、モード選択に要する時間が長くなる。
【０００６】
さらに、撮影レンズを収納するモードを、モードダイアルを用いずに選択させる場合には、操作が煩雑になる上に、撮影装置の構造が複雑化する。
【０００７】
本発明は、不要な動作を回避し、操作性を向上させる撮影装置用モードダイアル機構を提供することを目的とする。
【課題を解決するための手段】
【０００８】
本発明のモードダイアル機構は、撮影レンズを備えた撮影装置用のモードダイアル機構である。そして、モードダイアル機構は、撮影レンズを移動させるレンズ移動手段と、撮影レンズを収納する必要があるレンズ収納モードを含む複数のモードからいずれかのモードを選択するためのモードダイアルと、選択されたレンズ収納モードに設定するか否かを判断するモード設定判断手段とを備え、モード設定判断手段がレンズ収納モードに設定すると判断すると、レンズ移動手段が、撮影レンズを収納する位置まで移動させることを特徴とする。
【０００９】
モードダイアルは、左右いずれの方向にも停止せずに回転できる無端状であることが好ましい。
【００１０】
モード設定判断手段は、レンズ収納モードに設定するか否かを判断するためのメッセージを表示するメッセージ表示手段を含むことが望ましい。この場合、モード設定判断手段は、メッセージに対するユーザの操作に応じて、レンズ収納モードに設定するか否かを判断することがより望ましい。そして、メッセージが表示されたときに、モードダイアルによりレンズ収納モード以外のモードが選択されると、モード設定判断手段が、レンズ収納モードに設定しないと判断することがより望ましい。
【００１１】
また、モード設定判断手段は、メッセージが表示された状態で所定の時間よりも長い時間が経過すると、レンズ収納モードに設定すると判断することが好ましい。
【００１２】
モードダイアル機構においては、モードダイアルとメッセージ表示手段とが、同一平面上に設けられていることが好ましい。
【００１３】
モードダイアル機構は、例えば、音声を記録する録音手段をさらに有し、レンズ収納モードが、音声記録動作を実行させるための録音モードを含む。
【発明の効果】
【００１４】
本発明によれば、不要な動作を回避し、操作性を向上させる撮影装置用モードダイアル機構が実現できる。
【発明を実施するための最良の形態】
【００１５】
図１は、本実施形態における、撮影レンズが繰出された状態のデジタルカメラの斜視図である。図２は、撮影レンズが収納された状態のデジタルカメラの斜視図である。
【００１６】
デジタルカメラ１０には、撮影レンズ１２を含むレンズ鏡筒３２が設けられている。撮影レンズ１２は、デジタルカメラ１０の前面１０Ｆから繰出された繰出し位置と、デジタルカメラ１０の本体内部に収納され、外部からは視認できない収納位置（図２参照）との間で移動する。
【００１７】
デジタルカメラ１０の背面１０Ｒには、モードダイアル１４が設けられており、モードダイアル１４の操作によって所定のモードが選択される。そして、撮影レンズ１２が使用されないモードにおいては、撮影レンズ１２を保護するため、撮影レンズ１２は、収納位置に移動するように制御される。
【００１８】
図３は、デジタルカメラ１０の背面図である。図４は、デジタルカメラ背面１０Ｒに設けられたモードダイアルを示す図である。
【００１９】
デジタルカメラ背面１０Ｒには、モードダイアル１４の他に、メニューボタン１３、Ｆｎボタン１９、十字キー２１、ＯＫボタン２３、ズームスイッチ２５等が設けられている。これらのボタン、スイッチ等は、ユーザの指示に基づいて各種設定を変更するためのものである。
【００２０】
さらに、デジタルカメラ背面１０Ｒには、ＬＣＤモニタ２２が設けられている。ＬＣＤモニタ２２には、撮影された被写体画像、メニュー項目を示すメニュー画面、あるいはメニュー項目のアイコンなどが表示される。なお、メニュー画面は、メニューボタン１３の押下により、メニュー項目のアイコンはＦｎボタン１９の押下によって表示される。
【００２１】
十字キー２１は、表示されたメニュー画面等から所定のメニュー項目を選択するため等に用いられ、ＯＫボタン２３は、選択されたメニュー項目の設定等に用いられる。また、ズームスイッチ２５は、右側の望遠スイッチ（ＳＷＴ）２７と、左側の広角スイッチ（ＳＷＷ）２８とを含む。
【００２２】
また、デジタルカメラ１０の上面１０Ｕには、レリーズボタン１８が設けられている。そして、レリーズボタン１８が半押しされると、測光スイッチが、全押しされるとレリーズスイッチが、それぞれオン状態になる。
【００２３】
モードダイアル１４は、撮影等のための複数のモードから所望のモードを選択するために用いられ、ユーザの操作により、デジタルカメラ背面１０Ｒに沿って回転する。モードダイアル１４の表面には、例えば、プログラムＡＥモード、マニュアル露出モード、夜景用に露出を調整する夜景モード、音声を記録するボイスレコーディングモード等の各モードを示すマークが記されている（図４参照）。そして、予め定められている回転位置であるモード選択位置まで、各マークを移動させることにより、そのマークが示すモードが選択される。
【００２４】
ここで、アルファベットの“Ｐ”を含むマークはプログラムＡＥモード、“Ｍ”を含むマークはマニュアル露出モード、月を含むマークは夜景モード、概略化したマイクのマークはボイスレコーディングモードを、それぞれ示す。
【００２５】
モードダイアル１４は、左右いずれの方向にも、停止せずに回転させることのできる無端状である。このためユーザは、左右いずれかの回転方向を選んで操作することにより、速やかに所望のモードを選択できる。
【００２６】
図５は、ボイスレコーディングモードへの設定を確認するためにＬＣＤモニタ２２上に表示されたメッセージ画面を示す図である。図６は、ボイスレコーディングモードが設定されたことを示すためにＬＣＤモニタ２２上に表示された画面を示す図である。
【００２７】
モードダイアル１４の回転により、ボイスレコーディングモードを始めとする、撮影レンズ１２を収納する必要があるモード（レンズ収納モード）が選択されると、実際に、ボイスレコーディングモードに設定するか否かを判断するためのメッセージが、ＬＣＤモニタ２２上に表示される。
【００２８】
これは、モードダイアル１４が無端状であることから、ボイスレコーディングモード等のレンズ収納モードのマークがモード選択位置にあるようにモードダイアル１４が回転された場合においても、レンズ収納モードの設定が意図されているとは限らないためである。
【００２９】
このため、ボイスレコーディングモード等のレンズ収納モードに設定することをユーザが望んでいるか、あるいは、他のモードを選択するためにモードダイアル１４を回転中に、ボイスレコーディングモードを示すマークがモード選択位置を通過しただけであるかが確認するため、メッセージ画面が表示される。
【００３０】
そして、図５に示すメッセージ画面の表示中に、ＯＫボタン２３が押下され、あるいは、レリーズボタン１８が全押しされると、ユーザはボイスレコーディングモードの設定を望んでいるものと判断され、ボイスレコーディングモードが設定される。ボイスレコーディングモードが設定されると、ＬＣＤモニタ２２からメッセージ画面が消え、ボイスレコーディングモードが設定されたことを示す画面が表示される（図６参照）。
【００３１】
ＯＫボタン２３の押下によりボイスレコーディングモードが設定された場合、レリーズボタン１８が全押しされることにより、デジタルカメラ１０に内蔵されたマイクロフォン（図示せず）による音声記録動作が開始される。そして、当該モードにおいて再度レリーズボタン１８が全押しされると、音声記録動作は終了する。ここで、レリーズボタン１８の全押しによりボイスレコーディングモードが設定された場合は、さらなる操作なしに音声記録動作が開始される。
【００３２】
一方、図５のメッセージ画面が表示されてから、さらにモードダイアル１４が回転され、ボイスレコーディングモード以外のモードを示すマークがモード選択位置に到達すると、ユーザはボイスレコーディングモードの設定を望んでいないものと判断される。そしてこの場合、ボイスレコーディングモードは設定されず、図５に示すメッセージ画面は消去される。
【００３３】
このように、レンズ収納モードの設定が必要であるか否かを確認することにより、撮影レンズ１２の不要な移動に伴う電力消費と操作時間の延長が防止される。
【００３４】
なお、ボイスレコーディングモードに設定するか否かを判断するためのメッセージを表示するＬＣＤモニタ２２、モードダイアル１４、およびＯＫボタン２３のいずれもがデジタルカメラ背面１０Ｒに設けられていることにより、本実施形態のモードダイアル機構の操作性は向上される。
【００３５】
図７は、デジタルカメラ１０のブロック図である。
【００３６】
デジタルカメラ１０には、全体を制御するマイコン１７が設けられている。メインスイッチ（ＳＷＭ）１１は、デジタルカメラ１０のスイッチであり、ユーザにより操作されてオン状態になるとマイコン１７が作動を開始する。マイコン１７には、メニューボタン１３、モードダイアル１４、測光スイッチ（ＳＷＳ）１５、レリーズスイッチ（ＳＷＲ）１６、Ｆｎボタン１９、十字キー２１、ＯＫボタン２３等が接続されており、ユーザの操作に応じた所定の信号がマイコン１７に送信される。
【００３７】
例えば、メニューボタン１３が押下されるとメニュー画面表示を指示する信号、Ｆｎボタン１９が押下されるとメニュー項目のアイコン表示を指示する信号、望遠スイッチ（ＳＷＴ）２７あるいは広角スイッチ（ＳＷＷ）２８が押下されると、望遠、広角撮影のための信号が、それぞれマイコン１７に送信される。
【００３８】
なお、ＥＥＰＲＯＭ４４には、モードダイアル１４等により設定されるモードに応じて読み出される、マイコン１７の信号処理のために必要な様々なデータが記憶されている。そして、例えばプログラムＡＥモード等を始めとした撮影モードにおいては、以下のように、被写体像がＬＣＤモニタ２２上に表示される。
【００３９】
まず、ＣＣＤ３８が、撮影レンズ１２を介して被写体からの反射光を受光し、ＣＣＤ３８に設けられた多数の光電変換素子において画像に対応した電荷が発生する。そして、ＣＣＤ駆動回路３６による制御に基づきＣＣＤ３８から読み出された電荷信号、すなわち画像信号は、ＣＤＳ回路３９においてノイズが低減され、Ａ／Ｄ変換器４０でアナログの画像信号からデジタルの画像信号に変換される。デジタル化された画像信号は、マイコン１７へ送られる。
【００４０】
マイコン１７内の信号処理回路（図示せず）において、デジタル画像信号には、ホワイトバランス調整、ガンマ補正などの様々な信号処理が施され、輝度信号、及び色差信号が生成される。生成された輝度信号、及び色差信号、すなわち画像データは、ＤＲＡＭ４２に記録される。画像データの生成は周期的に更新され、ＬＣＤモニタ２２にはリアルタイムの動画としてスルー画像が表示される。
【００４１】
レリーズボタン１８が半押しされ、測光スイッチ１５がオン状態になると、マイコン１７は、オートフォーカスのためにＡＦ・絞り駆動機構３４を制御する。そして、ＣＣＤ３８から出力される輝度信号に基づいて、マイコン１７は、所定のアルゴリズムに従って露出値を算出する。
【００４２】
さらに、レリーズボタンが全押しされてレリーズスイッチ１６がオン状態になると、算出された露出値に基づいて、マイコン１７により絞り３１の絞り値が所定の値に設定される。そしてＡＦ・絞り駆動機構３４が、マイコン１７からの制御信号に基づいて、設定された絞り値に対応する所定量だけ絞り３１を開き、シャッタ（図示せず）が所定の開度で所定時間だけ開放される。そして、撮影レンズ１２を介して入射する被写体からの反射光により、ＣＣＤ３８が露光される。
【００４３】
ＣＣＤ３８から読み出された画像信号に基づいて、マイコン１７にて画像データが生成され、ＤＲＡＭ４２に記録される。また、メモリカード４６がデジタルカメラ１０の本体に挿入されていると、画像データは、インターフェイス４３を介してメモリカード４６に送信され、メモリカード４６にも記録される。
【００４４】
モードダイアル１４の回転によりボイスレコーディングモードが選択されたことを示す信号がマイコン１７に送られると、マイコン１７は、図５に例示するメッセージ画面を表示させるように、ＬＣＤモニタ２２に指示信号を送る。そして、メッセージ画面表示中にレリーズボタン１８が全押しされ、あるいはＯＫボタン２３が押下されると、マイコン１７は、ボイスレコーディングモードに設定する必要があることを示す信号を受信する。ここで、マイコン１７は、図６に例示するボイスレコーディングモードの設定画面を表示させるように指示する信号を、ＬＣＤモニタ２２に送る。この設定画面においては、中央付近に録音時間が表示される。ここでは、録音開始直前であって時間が０の状態を示しており、録音が進むと、カウントされた録音時間が秒の単位まで表示される。
【００４５】
マイコン１７は、レリーズボタン１８の全押しによりボイスレコーディングモードが設定された場合には直ちに、ＯＫボタン２３の押下により当該モードが設定された場合にはさらにレリーズボタン１８が全押しされると、録音動作を開始するように指示する信号をマイクロフォン２０に送信する。そして再び、レリーズボタン１８が全押しされると、マイコン１７は、録音動作を終了させる指示信号をマイクロフォン２０に送る。この結果、マイクロフォン２０により音声情報が生成され、生成された音声情報は、マイコン１７およびインターフェイス４３を介してメモリカード４６に記録される。
【００４６】
さらに、マイコン１７は、ボイスレコーディングモードが設定されると、撮影レンズ１２を収納位置まで移動させるべく、撮影レンズ１２を含むレンズ鏡筒３２を移動させるように、鏡筒駆動機構２６を制御する。こうして、撮影レンズ１２は、新たにモードダイアル１４が回転され、撮影レンズ１２を繰出す必要があるモードが選択されるまで、収納位置におかれる。
【００４７】
なお、レンズ収納モードには、ＤＲＡＭ４２に記憶された画像データに基づく画像を再生させ、ＬＣＤモニタ２２に表示させる再生モード（画像再生モード）と、ＬＣＤモニタ２２に時刻を表示させる時刻表示モードも含まれる。この時刻表示モードの設定を可能にするため、デジタルカメラ１０においては、システム・クロック（図示せず）を含むタイミングコントロール回路２４が設けられている。
【００４８】
そして、再生モード、もしくは時刻表示モードが選択された場合においても、ボイスレコーディングモードと同様に、ＬＣＤモニタ２２にメッセージ画面、およびボイスレコーディングモード設定画面に類似の画面が表示されるため、各レンズ収納モードがモードダイアル１４により選択されただけの時点においては、撮影レンズ１２は繰出し位置にあり、各モードの設定指示を受けてから収納される。
【００４９】
図８は、モードダイアル機構におけるモード設定制御ルーチンを示すフローチャートである。
【００５０】
モード設定制御ルーチンは、デジタルカメラ１０のメインスイッチ１１がオンになると開始する。ステップＳ１０では、モードダイアル１４の回転操作によりレンズ収納モードが選択されているか否かが判断され、レンズ収納モードが選択されていると判断されるとステップＳ１１に進み、レンズ収納モードが選択されていないと判断されるとステップＳ１２に進む。ステップＳ１１では、ＬＣＤモニタ２２上にメッセージ画面が表示され、ステップＳ１３に進む。
【００５１】
ステップＳ１３では、メッセージ画面が表示されてから、そのままの状態の経過時間がシステム・クロックによって測定され、マイコン１７により、この経過時間が所定の上限時間よりも長いか否かが判断される。そして、経過時間が所定の上限時間よりも長いと判断されると、ステップＳ１４に進み、経過時間が所定の上限時間内であればステップＳ１５に進む。
【００５２】
ステップＳ１４においては、メッセージ画面がＬＣＤモニタ２２から消去され、ステップＳ１６に進む。一方、ステップＳ１５においては、ＯＫボタン２３が押下されたか否かが判断され、ＯＫボタン２３が押下されたと判断されるとステップＳ１４に進み、押下されなかったと判断されると、ステップＳ１７に進む。ステップＳ１７では、レリーズボタン１８が全押しされたか否かが判断され、レリーズボタン１８が全押しされたと判断されると、ステップＳ１４に進み、レリーズボタン１８が全押しされなかったと判断されると、ステップＳ１８に進む。
【００５３】
ステップＳ１８では、モードダイアル１４が回転され、レンズ収納モード以外のモードがモード選択位置にあるか否か、すなわちレンズ収納モード以外のモードが新たに選択されたか否かが判断される。そして、レンズ収納モード以外のモードが新たに選択されたと判断されると、ステップＳ１９に進み、レンズ収納モードが選択されたままであると判断されると、ステップＳ１３に戻る。ステップＳ１９では、メッセージ画面が消され、ステップＳ１０に戻る。
【００５４】
ステップＳ１６においては、撮影レンズ１２が収納され、ステップＳ２０に進む。ステップＳ２０では、レンズ収納モードの設定画面をＬＣＤモニタ２２上に表示するなど、モードの切換え、すなわち新たなモード設定のための処理が施され、ステップＳ２１に進む。
【００５５】
ステップＳ２１では、既にステップＳ１７において、レリーズボタン１８が全押しされていたか否かが判断され、既にレリーズボタン１８が全押しされていたと判断されるとステップＳ２３に進み、ステップＳ１０でのレンズ収納モードの選択後、未だレリーズボタン１８が全押しされていなかったと判断されるとステップＳ２２に進む。
【００５６】
ステップＳ２２では、レリーズボタン１８が全押しされたか否かが判断され、レリーズボタン１８が全押しされたと判断されると、ステップＳ２３に進む。ステップＳ２３では、ステップＳ１０にて選択されたレンズ収納モードに応じた、所定の動作が開始され、モード設定制御ルーチンは終了する。
【００５７】
このように、既にステップＳ１７にてレリーズボタン１８が全押しされていた場合には、レンズ収納モードが設定されるとともに、直ちに設定されたレンズ収納モードで実行可能な動作、例えば、ボイスレコーディングモードにおける録音開始動作が実行される（ステップＳ２１〜Ｓ２３）。このため、所望のモードの設定と、そのモードにおける動作の開始とが、レリーズボタン１８の全押しという単一の操作のみによって可能であり、効率的な操作が可能である。
【００５８】
以上のように本実施形態によれば、モードダイアル１４の操作により、撮影レンズ１２を収納するモードが選択された場合においても、撮影レンズ１２の収納に先立って、レンズ収納モードが設定されるべきであることを確認することにより、撮影レンズ１２の不要な動作を回避し、モードダイアル機構の操作性が向上される。
【００５９】
モードダイアル機構が用いられる撮影装置は、デジタルカメラ１０に限定されず、例えば、ビデオカメラ等であっても良い。
【図面の簡単な説明】
【００６０】
【図１】撮影レンズが繰出された状態のデジタルカメラの斜視図である。
【図２】撮影レンズが収納された状態のデジタルカメラの斜視図である。
【図３】デジタルカメラの背面図である。
【図４】デジタルカメラ背面に設けられたモードダイアルを示す図である。
【図５】ボイスレコーディングモードへの設定を確認するために表示されたメッセージ画面を示す図である。
【図６】ボイスレコーディングモードが設定されたことを示すために表示された画面を示す図である。
【図７】デジタルカメラのブロック図である。
【図８】モードダイアル機構におけるモード設定制御ルーチンを示すフローチャートである。
【符号の説明】
【００６１】
１０  デジタルカメラ（撮影装置）
１２  撮影レンズ
１４  モードダイアル
１７  マイコン（モード設定判断手段）
１８  レリーズボタン（動作開始手段・動作終了手段）
２０  マイクロフォン（録音手段）
２２  ＬＣＤモニタ（メッセージ表示手段・時刻表示手段・画像再生手段）
２３  ＯＫボタン（モード設定判断手段）
２６  鏡筒駆動機構（レンズ移動手段）
４２  ＤＲＡＭ（画像記憶手段）
【図１】
0004810135.tif 000002
【図２】
0004810135.tif 000003
【図３】
0004810135.tif 000004
【図４】
0004810135.tif 000005
【図５】
0004810135.tif 000006
【図６】
0004810135.tif 000007
【図７】
0004810135.tif 000008
【図８】
0004810135.tif 000009